(57)【要約】  本発明の送信装置（１０）は、データを送信先に送信する送信部（１２）と、送信部（１２）が送信した使用データとその使用データの送信先とを互いに対応付けて保持するメモリ（１１）とを有し、送信予定の送信データを受け付けると、メモリ（１１）を参照して送信データの送信先に対応付けられた該当データを特定し、その該当データに応じた特定情報を通知する。
2012144447.tif 000002
【特許請求の範囲】
【請求項１】
データを送信先に送信する送信手段と、
前記送信手段が送信した所定データと該所定データの送信先とを互いに対応付けて保持する保持手段と、
送信予定の送信データを受け付けると、前記保持手段を参照して前記送信データの送信先に対応付けられた所定データを該当データとして特定し、前記該当データに応じた特定情報を通知する処理手段と、を含む送信装置。
【請求項２】
請求項１に記載の送信装置において、
前記保持手段は、前記所定データごとに該所定データと該所定データの送信先とを互いに対応付けて保持し、
前記処理手段は、前記該当データのうち前記送信データに含まれた特定該当データを特定し、前記特定情報として、前記特定該当データと同じデータが送信される旨の情報を通知する、送信装置。
【請求項３】
請求項１または２に記載の送信装置において、
前記所定データは、絵文字データであり、
前記処理手段は、前記特定情報として、前記該当データの絵文字を表示する、送信装置。
【請求項４】
請求項１または２に記載の送信装置において、
前記所定データは、絵文字データであり、
前記処理手段は、前記特定情報として、前記該当データ以外の絵文字を表示する、送信装置。
【請求項５】
請求項４に記載の送信装置において、
前記処理手段は、前記特定情報として、さらに、前記該当データ以外の絵文字に施した表示処理と異なる表示処理を前記該当データの絵文字に施して表示する、送信装置。
【請求項６】
データを送信先に送信する送信手段を有する送信装置のデータ処理方法であって、
前記送信手段が送信した所定データと該所定データの送信先とを互いに対応付けて保持手段に保持する保持ステップと、
送信予定の送信データを受け付けると、前記保持手段を参照して前記送信データの送信先に対応付けられた所定データを該当データとして特定し、前記該当データに応じた特定情報を通知する処理ステップと、を含むデータ処理方法。
【請求項７】
請求項６に記載のデータ処理方法において、
前記保持ステップでは、前記所定データごとに該所定データと該所定データの送信先とを互いに対応付けて前記保持手段に保持し、
前記処理ステップでは、前記該当データのうち前記送信データに含まれた特定該当データを特定し、前記特定情報として、前記特定該当データと同じデータが送信される旨の情報を通知する、データ処理方法。
【請求項８】
データを送信先に送信する送信手段を有する送信装置内のコンピュータに、
前記送信手段が送信した所定データと該所定データの送信先とを互いに対応付けて保持手段に保持する保持手順と、
送信予定の送信データを受け付けると、前記保持手段を参照して前記送信データの送信先に対応付けられた所定データを該当データとして特定し、前記該当データに応じた特定情報を通知する処理手順と、を実行させるためのプログラムを記録したコンピュータ読み取り可能な記録媒体。
【発明の詳細な説明】
【技術分野】
【０００１】
本発明は、送信装置、データ処理方法およびプログラムに関する。
【背景技術】
【０００２】
特開２０１０−１５２２１号公報（以下では、特許文献１と称する）には、電子メールを作成する携帯装置が記載されている。特許文献１に記載の携帯装置は、電子メールの文字列の入力を検出する操作部と、絵文字と所定の文字列とを関連付ける対応表、および、絵文字を記憶する記憶部と、を備えている。【０００３】
特許文献１に記載の携帯装置は、操作部が検出した電子メールの文字列中に絵文字と関連付けられた所定の文字列がある場合、記憶部に記憶された絵文字を電子メールに挿入する。
【発明の概要】
【０００４】
特許文献１に記載の携帯装置では、電子メール中に所定の文字列がある場合に、記憶部に記憶された絵文字が電子メールに挿入される。絵文字が挿入された電子メールは、ユーザにて指定された宛先に送信される。また、ユーザにて同じ宛先の電子メールが新たに作成されるときにも、記憶部に記憶された絵文字が挿入される場合がある。この場合には、同じ宛先の相手に対し、同じ絵文字が挿入された電子メールが送信されることになる。
【０００５】
また、電子メールを作成するユーザは、同じ相手に同じ絵文字を使用したくない場合もある。同じ相手に同じ絵文字を使用しないようにするには、ユーザが携帯装置を操作して携帯装置に記憶された送信済みのメールを確認しなければならず、手間がかかってしまう。
【０００６】
このため、ユーザは、電子メールの送信先に対し送信したことのある絵文字などのデータを容易に検索することが困難であった。
【０００７】
本発明の目的の一つは、データの送信先に対し送信したデータを容易に検索することが可能な送信装置、データ処理方法およびプログラムを提供することである。
【０００８】
本発明の一側面の送信装置は、データを送信先に送信する送信手段と、送信手段が送信した所定データと所定データの送信先とを互いに対応付けて保持する保持手段と、送信予定の送信データを受け付けると、保持手段を参照して送信データの送信先に対応付けられた所定データを該当データとして特定し、該当データに応じた特定情報を通知する処理手段と、を含む構成である。
【０００９】
本発明の一側面のデータ処理方法は、データを送信先に送信する送信手段を有する送信装置のデータ処理方法であって、送信手段が送信した所定データと所定データの送信先とを互いに対応付けて保持手段に保持する保持ステップと、送信予定の送信データを受け付けると、保持手段を参照して送信データの送信先に対応付けられた所定データを該当データとして特定し、該当データに応じた特定情報を通知する処理ステップと、を含むものである。
【００１０】
本発明の一側面のプログラムは、データを送信先に送信する送信手段を有する送信装置内のコンピュータに、送信手段が送信した所定データと所定データの送信先とを互いに対応付けて保持手段に保持する保持手順と、送信予定の送信データを受け付けると、保持手段を参照して送信データの送信先に対応付けられた所定データを該当データとして特定し、該当データに応じた特定情報を通知する処理手順と、を実行させるものである。
【図面の簡単な説明】
【００１１】
【図１】図１は本発明の第１実施形態における送信装置の構成例を示すブロック図である。
【図２】図２は絵文字の使用履歴管理リストのデータ形式の一例を示す図である。
【図３】図３は新規メールの作成画面の一例を示す図である。
【図４】図４は絵文字の再使用を警告する旨の警告情報の一例を示す図である。
【図５】図５は送信装置のデータ処理方法を示すフローチャートである。
【図６】図６は第２実施形態における送信装置のデータ処理方法を示すフローチャートである。
【図７】図７は使用済み絵文字に網掛け処理を施した表示例を示す図である。
【図８】図８は使用済み絵文字以外の絵文字を表示する表示例を示す図である。
【図９】図９は電話帳データを使用履歴管理リストとして用いる例を示す図である。
【発明を実施するための形態】
【００１２】
本発明の実施形態について図面を参照して説明する。
【００１３】
図１は、本発明の第１実施形態における送信装置の構成例を示すブロック図である。
【００１４】
送信装置１０は、メール機能を有する携帯端末である。本実施形態では、送信装置１０はメール機能を実行して、ＨＴＭＬ（HyperText  Markup  Language）形式のメールの送信と受信と編集とを行う。
【００１５】
送信装置１０は、例えば、携帯電話機、スマートフォン、携帯情報端末や、ゲーム機などで実現される。送信装置１０は、メモリ１１と、送信部１２と、処理部１３と、を備える。処理部１３は、操作部１３１と、表示部１３２と、ＣＰＵ（Central  Processing  Unit）１３３と、を備える。
【００１６】
送信部１２は、一般的に送信手段と呼ぶことができる。
【００１７】
送信部１２は、データを送信先に送信する。例えば、送信部１２は、電子メールを受け付けると、電子メールの宛先に電子メールを送信する。
【００１８】
メモリ１１は、一般的に保持手段と呼ぶことができる。
【００１９】
メモリ１１は、送信部１２が送信した電子メールの使用データと、その使用データの送信先とを互いに対応付けて保持する。電子メールの使用データとして、本実施形態では、デコメ絵文字（登録商標）が用いられる。ここで、「デコメ絵文字（登録商標）」とは、メール機能に用いられる装飾画像のデータのことを言う。例えば、デコメ絵文字（登録商標）は、静止画データやアニメーション画像データを用いて実現される。
【００２０】
なお、「デコメ（登録商標）」はデコレーションメールを省略したものであり、デコメ絵文字（登録商標）は、ＮＴＴドコモ株式会社が提供する絵文字の名称である。デコメ絵文字（登録商標）に類似の絵文字は、ソフトバンクモバイル株式会社のサービスでは「マイ絵文字」と呼ばれ、ＫＤＤＩ株式会社のサービスでは「動く絵文字」と呼ばれている。以下では、一般的な絵文字と区別して説明する場合を除いて、デコメ絵文字（登録商標）を単に「絵文字」と称する。
【００２１】
本実施形態では、メモリ１１に、送信部１２が送信した絵文字の絵文字ＩＤ（Identifier：識別子）と、その絵文字の送信先と、を送信先単位で対応付けた使用履歴管理リストが保持される。
【００２２】
使用履歴管理リストは、送信部１２が送信した絵文字の使用履歴を管理するためのリストである。使用履歴管理リストには、送信部１２が送信した絵文字ごとに、例えば、「絵文字ＩＤ」と「絵文字入手元」と「使用した相手」とが互いに対応付けられる。
【００２３】
「絵文字ＩＤ」は、送信部１２が送信した絵文字を管理するための識別情報である。絵文字ＩＤとしては、送信装置１０内に保持された全ての絵文字を表す絵文字リストで使用されているＩＤが用いられる。このため、絵文字ＩＤは、絵文字のファイル名などが用いられる。なお、絵文字リストは、メモリ１１に保持されている。
【００２４】
「絵文字入手元」は、絵文字の入手元を管理するための入手元情報である。例えば、送信装置１０にプリセットされた絵文字の「絵文字入手元」には、自装置の名称が示され、また、絵文字を提供する提供サーバからインターネットを通じてダウンロードした絵文字の「絵文字入手元」には、提供サーバのアドレスが示される。さらに、送信装置１０が受信した電子メールに含まれていた絵文字の「絵文字入手元」には、送信装置１０が受信した電子メールの送信元のアドレスが示される。
【００２５】
「使用した相手」は、絵文字を使用した相手を管理するための送信先情報である。「使用した相手」には、送信部１２が送信した絵文字の送信先が示される。例えば、同一の絵文字を複数の送信先に送信した場合には、その絵文字の「使用した相手」には複数の送信先が示される。
【００２６】
使用履歴管理リストとしては、例えば、絵文字リストに「使用した相手」などの情報を付加したものが用いられる。使用履歴管理リストは、絵文字の送信が確定したときに、その絵文字ＩＤに対応付けられた「使用した相手」の欄に送信先が追加される。
【００２７】
図２は、メモリ１１に記憶された使用履歴管理リストの一例を示す概念図である。
【００２８】
図２では、使用履歴管理リストは、送信部１２が送信した絵文字ごとに「絵文字ＩＤ」と送信先情報として「使用した相手」とが互いに対応付けられている。
【００２９】
図１に戻り、メモリ１１は、ＣＰＵ１３３が実行するプログラムを保持する。例えば、メモリ１１は、メール機能を実現するためのメーラプログラムを保持する。なお、メモリ１１は、コンピュータ読み取り可能な記録媒体である。
【００３０】
なお、本実施形態では、電子メールの使用データとしてデコメ絵文字（登録商標）が用いられる例について説明したが、使用データとして用いられるデータは、デコメ絵文字（登録商標）に限られない。使用データとしては、例えば、絵文字データ、デコメピクチャやアニメを含む画像ファイルや、画像フレームなどが用いられても良い。
【００３１】
処理部１３は、一般的に処理手段と呼ぶことができる。
【００３２】
処理部１３は、送信予定の送信データを受け付けると、メモリ１１内の使用履歴管理リストを参照して、送信データの送信先に対応付けられた絵文字ＩＤを特定する。なお、使用履歴管理リスト内の絵文字ＩＤのうち、送信データの送信先に対応付けられた全ての絵文字ＩＤを、以下、「使用済み絵文字ＩＤ」と称する。
【００３３】
処理部１３は、使用済み絵文字ＩＤのうち送信データに含まれた絵文字ＩＤを特定する。なお、使用済み絵文字ＩＤのうち、送信データに含まれた絵文字ＩＤを、以下、「再使用絵文字ＩＤ」と称する。処理部１３は、再使用絵文字と同じ絵文字が送信される旨の警告情報を通知する。
【００３４】
処理部１３は、再使用絵文字ＩＤを特定すると、例えば、その再使用絵文字を送信した送信回数が所定の閾値を超えている場合に警告情報を通知し、送信回数が所定の閾値を超えていない場合には警告情報を通知しないようにしてもよい。
【００３５】
この例において、メモリ１１内の使用履歴管理リストには、絵文字の送信回数に応じたカウント値が格納される送信回数フィールが、絵文字ＩＤごとに設けられる。処理部１３は、送信部１２が絵文字を送信するごとに、その絵文字ＩＤに対応付けられたカウント値を「１」だけカウントアップし、そのカウントアップした値をメモリ１１内の使用履歴管理リストに設けられた送信回数フィールドに格納する。処理部１３は、送信データを受け付け、送信データに含まれた再使用絵文字ＩＤを特定すると、その絵文字ＩＤに対応付けられたカウント値が所定の閾値を超えている場合には警告情報を通知し、カウント値が所定の閾値を超えていない場合には警告情報を通知しない。
【００３６】
また、処理部１３は、再使用絵文字ＩＤを特定するたびに、警告情報の内容を変更してもよい。例えば、処理部１３は、再使用絵文字ＩＤを特定するたびに、その絵文字が送信された送信回数を通知する。
【００３７】
操作部１３１は、ユーザ操作にて入力された指示を受け付けると、その指示をＣＰＵ１３３に供給する。例えば、操作部１３１は、メール機能を実行する旨の実行指示を受け付ける。また、操作部１３１は、ユーザ操作にて入力された電子メールの文字列などのデータを受け付けると、そのデータをＣＰＵ１３３に供給する。さらに操作部１３１は、ユーザにて選択された絵文字の入力を検出し、その検出結果をＣＰＵ１３３に供給する。
【００３８】
ＣＰＵ１３３は、メモリ１１と送信部１２と操作部１３１と表示部１３２とをそれぞれ制御するコンピュータである。ＣＰＵ１３３は、操作部１３１からメール機能の実行指示を受け付けると、メモリ１１に記憶されたメーラプログラムを実行する。そしてＣＰＵ１３３は、電子メールの作成画面を表示部１３２に表示する。
【００３９】
図３は、表示部１３２に表示される電子メールの作成画面の一例を示す図である。
【００４０】
電子メールの作成画面には、新規メールの宛先（Ｔｏ）と件名（Ｓｕｂｊｅｃｔ）と本文と本文入力エリアとが示されている。さらに作成画面には、送信ボタンと、選択ボタンと、添付ボタンと、機能ボタンと、が示されている。送信ボタンは、電子メールの送信を指示するために用いられる。選択ボタンは、例えば、絵文字リストの中から１つの絵文字を指定するために用いられる。添付ボタンは、例えば、電子メールへの画像ファイルの添付を指示するために用いられる。
【００４１】
図１に戻り、ＣＰＵ１３３は、操作部１３１から送信予定の送信データを受け付けると、メモリ１１を参照して、送信データに含まれた絵文字ＩＤを特定し、その絵文字ＩＤに対応付けられた送信先を示す送信先情報を特定する。
【００４２】
そしてＣＰＵ１３３は、送信先情報の示す送信先が、送信データの宛先と一致した場合に、送信データに含まれた絵文字ＩＤを、再使用絵文字ＩＤとして特定する。ＣＰＵ１３３は、その特定した再使用絵文字と同じ絵文字が送信される旨の警告情報を表示部１３２に表示する。
【００４３】
図４は、絵文字の再使用を警告する旨の警告情報の一例を示す図である。
【００４４】
図４では、警告情報３１が電子メールの作成画面３０上にポップアップ表示されている。警告情報３１には、「以前送ったメールに使用しています。再使用しますか？ＹＥＳ、ＮＯ」が示されている。そして警告情報３１に従ってユーザは、再使用を許容するか否かを操作部１３１で指定する。
【００４５】
表示部１３２は、電子メールの作成画面や警告情報などを表示する。
【００４６】
次に送信装置１０の動作について説明する。
【００４７】
図５は、送信装置１０のデータ処理方法を示すフローチャートである。
【００４８】
まず、操作部１３１が、メール機能を実行する旨の実行指示を受け付けると、ＣＰＵ１３３は、メモリ１１内のメール機能を実現するためのメーラプログラムを実行する（ステップＳ７１）。このため、送信装置１０では、メーラが立ち上がり、図３に示したような新規メールの作成画面が表示部１３２に表示される
そして操作部１３１は、ユーザにて選択された新規メールの宛先を受け付ける（ステップＳ７２）と、ＣＰＵ１３３の制御に従って表示部１３２は、その宛先を新規メールの宛先欄に表示する。さらに操作部１３１が新規メールの件名を受け付けると、表示部１３２はその件名の文字列を新規メールの件名欄に表示する。
【００４９】
その後、操作部１３１が、新規メールの本文への入力指示を受け付けると、ＣＰＵ１３３は、操作部１３１から本文入力が可能な状態にする（ステップＳ７３）。
【００５０】
本文入力が可能な状態において、操作部１３１が、絵文字リストを呼び出す旨の呼出し指示を受け付ける（ステップＳ７４）と、ＣＰＵ１３３の制御に従って表示部１３２は、絵文字リストの全データを一覧で表示する（ステップＳ７５）。
【００５１】
その後、操作部１３１が、ユーザにて選択された絵文字の入力を検出する（ステップＳ７６）と、ＣＰＵ１３３は、メモリ１１を参照して、操作部１３１が検出した絵文字の絵文字ＩＤと、図２に示した使用履歴管理リストと、を比較する。
【００５２】
そしてＣＰＵ１３３は、操作部１３１が検出した絵文字の絵文字ＩＤが、使用履歴管理リスト内の絵文字ＩＤと一致する場合に、その絵文字ＩＤに対応付けられた送信先を示す送信先情報を抽出する（ステップＳ７７）。
【００５３】
ＣＰＵ１３３は、その抽出された送信先情報の示す送信先が、操作部１３１から受け付けた新規メールの宛先と一致するか否かを判断する（ステップＳ７８）。
【００５４】
ＣＰＵ１３３は、送信先情報の示す送信先が、新規メールの宛先と一致しない場合には、操作部１３１が検出した絵文字を、新規メールの本文中に挿入する（ステップＳ８１）。そしてＣＰＵ１３３は、操作部１３１から受け付けた新規メールの宛先と、操作部１３１が検出した絵文字の絵文字ＩＤと、を互いに対応付けてメモリ１１内の使用履歴管理リストに追加し（ステップＳ８２）、送信装置１０のデータ処理方法の一連の処理手順を終了する。
【００５５】
一方、ＣＰＵ１３３は、送信先情報の示す送信先が、新規メールの宛先と一致した場合には、絵文字の再使用を許容するか否かを問い合わせる旨の警告情報を表示部１３２に表示する（ステップＳ７９）。例えば、ＣＰＵ１３３は、図５に示した「以前送ったメールに使用しています。再使用しますか？」等のポップアップ表示を行う。よって、送信装置１０は、ユーザが選択した絵文字は再使用の絵文字であるとユーザに認識させることが可能となる。
【００５６】
次に操作部１３１は、絵文字の再使用を許可しない旨の禁止指示を受け付ける（ステップＳ８０）と、新規メールの本文中への絵文字の挿入を取り消し、ステップＳ７３に戻り、本文入力を継続する。
【００５７】
一方、操作部１３１が、絵文字の再使用を許可する旨の再使用指示を受け付ける（ステップＳ８０）と、ＣＰＵ１３３は、操作部１３１が検出した絵文字を新規メールの本文中に挿入する（ステップＳ８１）。
【００５８】
そしてＣＰＵ１３３は、操作部１３１から受け付けた新規メールの宛先と、操作部１３１が検出した絵文字の絵文字ＩＤと、を互いに対応付けてメモリ１１内の使用履歴管理リストに追加し（ステップＳ８２）、送信装置１０のデータ処理方法の一連の処理手順を終了する。
【００５９】
本発明の第１実施形態によれば、データを送信先に送信する送信部１２を有する送信装置１０では、メモリ１１に、送信部１２が送信した使用データ（所定データ）の絵文字ＩＤとその送信先とが互いに対応付けて保持される。処理部１３は、送信予定の送信データを受け付けると、メモリ１１を参照して送信データの送信先に対応付けられた絵文字ＩＤを、使用済み絵文字ＩＤ（該当データ）として特定し、その使用済み絵文字ＩＤに応じた警告情報を通知する。例えば、処理部１３は、警告情報として、使用済み絵文字ＩＤの絵文字を表示する。なお、警告情報は、特定情報と呼ぶこともある。
【００６０】
このため、送信装置１０は、送信データの送信先に対し送信したことのある使用データを容易に検索することができる。
【００６１】
また、本実施形態では、メモリ１１は、絵文字ＩＤごとに絵文字ＩＤとその送信先とが保持され、処理部１３は、使用済み絵文字ＩＤのうち、送信データに含まれた絵文字ＩＤを、再使用絵文字ＩＤ（特定該当データ）として特定する。そして処理部１３は、再使用絵文字と同じ絵文字が送信される旨をユーザに通知する。
【００６２】
よって、ユーザは、送信装置１０を操作して送信装置１０に記憶された送信済みメールを確認することなく、送信装置１０が送信した絵文字と同じデータを再度送信することを回避することが可能となる。したがって、ユーザは、バリエーション豊かな絵文字を使用してユニークなメールを作成することが可能となる。
【００６３】
次に本発明の第２実施形態における送信装置について説明する。なお、第２実施形態の基本構成は、図１に示した送信装置１０と同様の構成である。
【００６４】
図６は、第２実施形態における送信装置のデータ処理方法を示すフローチャートである。
【００６５】
まず、操作部１３１が、メール機能を実行する旨の実行指示を受け付けると、ＣＰＵ１３３は、メモリ１１内のメーラプログラムを実行する（ステップＳ９１）。このため、送信装置１０では、メーラが立ち上がり、図３に示したような新規メールの作成画面が表示部１３２に表示される。
【００６６】
そして操作部１３１は、ユーザが選択した新規メールの宛先を受け付ける（ステップＳ９２）と、ＣＰＵ１３３の制御に従って表示部１３２は、その宛先を新規メールの宛先欄に表示する。これとともにＣＰＵ１３３は、図２に示した使用履歴管理リストの「使用した相手」欄に示された送信先を参照し、操作部１３１から受け付けた新規メールの宛先と、使用履歴管理リスト内の送信先とを比較する（ステップＳ９３）。
【００６７】
ＣＰＵ１３３は、新規メールの宛先が、使用履歴管理リスト内の送信先と一致した場合には、その宛先に対応付けられた絵文字ＩＤを抽出する（ステップＳ９４）。その後、操作部１３１が、新規メールの本文への入力指示を受け付けると、ＣＰＵ１３３は、操作部１３１から本文入力が可能な状態にする（ステップＳ９５）。一方、新規メールの宛先が、使用履歴管理リスト内の送信先と一致しない場合には、ステップＳ９５に進み、操作部１３１から本文入力が可能な状態にする。
【００６８】
本文入力が可能な状態において、操作部１３１が、絵文字リストを呼び出す旨の呼出し指示を受け付ける（ステップＳ９６）と、ＣＰＵ１３３は、表示部１３２に表示される絵文字の全データのうち、ステップＳ９４で抽出されたＩＤの使用済み絵文字に、他の絵文字に施される表示処理と異なる表示処理を施して表示する。
【００６９】
図７は、使用済み絵文字に灰色で網掛け処理を施した表示例を示す図である。
【００７０】
ＣＰＵ１３３は、例えば、図７に示したように、絵文字の一覧のうち使用済み絵文字、すなわち、使用実績のある絵文字に対して灰色の網掛け表示処理を施して表示部１３２に表示する。または、ＣＰＵ１３３は、使用済み絵文字に対し絵文字を枠で囲む、あるいは、下線を引く表示処理を施してもよい。よって、送信装置１０は、絵文字の一覧のうち使用済み絵文字をユーザに通知することができる。
【００７１】
図６に戻り、ユーザが例えば使用済みでない絵文字を選択すると、ＣＰＵ１３３は、その絵文字を新規メールの本文中に挿入する。
【００７２】
そしてＣＰＵ１３３は、操作部１３１から受け付けた新規メールの宛先と、操作部１３１が検出した絵文字の絵文字ＩＤと、を互いに対応付けてメモリ１１内の使用履歴管理リストに追加する（ステップＳ９８）。そして第２実施形態のデータ処理方法の一連の処理手順が終了する。
【００７３】
よって、第２実施形態では、第１実施形態と異なり、送信装置１０は、ユーザが選択した絵文字を受け付けるたびに、その絵文字が再使用絵文字であるか否かを確認する処理を実行する必要が無い。また、ユーザは、絵文字の再使用を許容するか否かを指示する必要もないので、第１実施形態と比較してメールの作成時間を短縮できるとともにユーザの手間を省くことができる。
【００７４】
本発明の第２実施形態によれば、データを送信する送信部１２を有する送信装置１０では、メモリ１１に、送信部１２が送信した絵文字のＩＤとその送信先とを互いに対応付ける使用履歴管理リストを保持しておき、処理部１３は、新規メールの送信データとして絵文字を受け付けると、新規メールの宛先が、使用履歴管理リスト内の送信先と一致するか否かを確認する。そして処理部１３は、新規メールの宛先が使用履歴管理リスト内の送信先と一致した場合には、新規メールの宛先に対応付けられた使用済み絵文字ＩＤを特定する。そして、処理部１３は、絵文字リストのうち使用済み絵文字に灰色の網掛け処理を施して表示する。
【００７５】
このため、ユーザは送信装置１０に表示された絵文字リストを見ることで、絵文字リストのうち使用済み絵文字と使用済みでない絵文字とを容易に区別することができる。
【００７６】
よって、ユーザは、新規メールの送信相手に送信したことのある絵文字と同じ絵文字を送信することを回避することが可能となる。つまり、送信装置１０は、送信部１２が送信した絵文字の送信先に対し、その絵文字と同じ絵文字を送信することを低減することが可能となる。
【００７７】
なお、本実施形態では、絵文字リストのうち、使用済み絵文字に他の絵文字と異なる表示処理を施す例について説明したが、使用済み絵文字の再使用を回避する表示手法としては、これに限られない。例えば、図８に示す表示手法が用いられても良い。
【００７８】
図８は、絵文字リストのうち、使用済み絵文字以外の絵文字を表示する表示例を示す図である。
【００７９】
図８では、処理部１３は、使用履歴管理リストを参照して新規メールの宛先に対応付けられた使用済み絵文字を特定すると、絵文字リストのうち、使用済み絵文字以外の絵文字を表示する。
【００８０】
このため、ユーザは、新規メールの宛先に送信したことのある絵文字を選択できないので、使用済み絵文字の再使用を防止することができる。よって、送信装置１０は、送信部１２が送信した絵文字の送信先に対し、その絵文字と同じ絵文字を送信することを防止することができる。
【００８１】
一般にユーザが携帯電話機を操作してメールを送信する場合、携帯電話機内の電話帳データに登録されている登録者宛にメールが作成されることが多い。このため、使用履歴管理リストとして電話帳データが用いられてもよい。
【００８２】
図９は、電話帳データを使用履歴管理リストとして用いた例を示す図である。
【００８３】
電話帳データには、一般的に設けられる登録者の名前（読み）と電話番号とメールアドレスと登録者を示す画像データとに加えて、絵文字使用履歴が設けられている。絵文字使用履歴を用いることで、送信装置１０は、図７または図８に示した絵文字リストを表示することができる。この場合には、携帯電話機の既存の機能を活用することができるので、本発明を容易に実現することができる。なお、赤外線通信などを用いて送信装置１０内の電話帳データを外部の装置に転送するときには使用履歴管理リストを削除する必要がある。
【００８４】
本発明の効果の一例として、データの送信先に対し、送信したデータを容易に検索することが可能になる。
【００８５】
以上、実施形態を参照して本願発明を説明したが、本願発明は上記実施形態に限定されるものではない。本願発明の構成や詳細には、本願発明のスコープ内で当業者が理解し得る様々な変更をすることができる。
【００８６】
なお、この出願は、２０１１年４月１９日に出願された日本出願の特願２０１１−０９３０６７の内容が全て取り込まれており、この日本出願を基礎として優先権を主張するものである。
【符号の説明】
【００８７】
１０    送信装置
１１    メモリ
１２    送信部
１３    処理部
１３１    操作部
１３２    表示部
１３３    ＣＰＵ
【図１】
2012144447.tif 000003
【図２】
2012144447.tif 000004
【図３】
2012144447.tif 000005
【図４】
2012144447.tif 000006
【図５】
2012144447.tif 000007
【図６】
2012144447.tif 000008
【図７】
2012144447.tif 000009
【図８】
2012144447.tif 000010
【図９】
2012144447.tif 000011
【手続補正書】
【提出日】平成25年9月18日(2013.9.18)
【手続補正１】
【補正対象書類名】特許請求の範囲
【補正対象項目名】請求項８
【補正方法】変更
【補正の内容】
【請求項８】
データを送信先に送信する送信手段を有する送信装置内のコンピュータに、
前記送信手段が送信した所定データと該所定データの送信先とを互いに対応付けて保持手段に保持する保持手順と、
送信予定の送信データを受け付けると、前記保持手段を参照して前記送信データの送信先に対応付けられた所定データを該当データとして特定し、前記該当データに応じた特定情報を通知する処理手順と、を実行させるためのプログラム。
【国際調査報告】
2012144447.tif 000012
2012144447.tif 000013